(57)【要約】【課題】ガス化ガスの温度低下を抑制してタール分を効率良く改質することができると共に、簡単な構造で製造を容易化しコスト削減を図り得る流動層ガス化装置を提供する。【解決手段】ガス化炉本体１の流動層４上方に形成されるフリーボード部５に、タール分解改質触媒層６を設けると共に、該タール分解改質触媒層６に付着する粒子状付着物及び析出カーボンを除去する除去手段７を設ける。【選択図】図１
2014118524.tif 000002
【特許請求の範囲】
【請求項１】
ガス化炉本体内下部に形成される流動層に燃料を投入してガス化ガスを発生させ、該ガス化ガスを前記流動層上方に形成されるフリーボード部を経て前記ガス化炉本体上部から抜き出す流動層ガス化装置において、
前記フリーボード部に配設されるタール分解改質触媒層と、
該タール分解改質触媒層に付着する粒子状付着物及び析出カーボンを除去する除去手段と
を備えたことを特徴とする流動層ガス化装置。
【請求項２】
前記除去手段を、前記タール分解改質触媒層の粒子状付着物に対し噴射流体として蒸気をノズルから吹き付け、且つ前記タール分解改質触媒層の析出カーボンに対し噴射流体として空気又は酸素をノズルから吹き付けるスートブロワとした請求項１記載の流動層ガス化装置。
【請求項３】
前記タール分解改質触媒層を、上下複数段に間隔をあけて配設される分割触媒層によって構成し、且つ最下段の分割触媒層の厚さを上段の分割触媒層の厚さに比べて薄くし、
前記スートブロワを上下の分割触媒層間に配設した請求項２記載の流動層ガス化装置。
【請求項４】
前記ガス化炉本体に、前記タール分解改質触媒層のガス化ガス流通方向上下流側における差圧を検出する差圧検出器を設け、
該差圧検出器で検出される差圧が設定値以上となった場合に前記スートブロワのノズルからタール分解改質触媒層に対し噴射流体を吹き付けるよう構成した請求項２又は３記載の流動層ガス化装置。
【発明の詳細な説明】
【技術分野】
【０００１】
本発明は、流動層ガス化装置に関するものである。
【背景技術】
【０００２】
従来、燃料として、石炭、バイオマス、廃プラスチック、或いは各種の含水廃棄物等の固体燃料を用い、ガス化ガスを生成する燃料ガス化設備の開発が進められている。
【０００３】
一般に、前記燃料ガス化設備のガス化炉において、およそ８００〜９００℃の温度の流動層で前記固体燃料のガス化を行った場合、生成されるガス化ガス中にはタールが含まれており、該タールを含むガス化ガスは温度を下げていくとタールが凝縮してミスト化する。このため、ガス化ガスを化学合成原料等に利用する際には、下流側の精製プロセスや化学合成プロセスにおいて、タールによる配管閉塞や機器類のトラブル、タール付着による合成触媒の被毒等といった問題が引き起こされる。
【０００４】
前記ガス化ガス中に含まれるタール分を除去する技術としては、従来、触媒を用いたタール改質があり、これと関連する一般的技術水準を示すものとしては、例えば、特許文献１がある。
【０００５】
前記特許文献１に開示された流動層ガス化装置は、ガス化炉本体内下部に形成される流動層に燃料を投入してガス化ガスを発生させ、該ガス化ガスを前記流動層上方に形成されるフリーボード部を経て前記ガス化炉本体上部から抜き出すものである。前記フリーボード部には、サイクロン型粒子分離部が設けられると共に、該サイクロン型粒子分離部より上方に位置するようタール分解改質触媒層が設けられている。
【０００６】
前記特許文献１に開示された流動層ガス化装置においては、ガス化炉本体内下部に形成される流動層に燃料を投入することによって発生したガス化ガスは、フリーボード部に設けられたサイクロン型粒子分離部を通過する際に旋回流となって粒子が分離される。そして、前記ガス化ガスは、タール分解改質触媒層でタール分が改質されて一酸化炭素（ＣＯ）と水素（Ｈ2）に転換され、タール分が除去されたガス化ガスがガス化炉本体上部から抜き出されるようになっている。
【先行技術文献】
【特許文献】
【０００７】
【特許文献１】特開２００４−２９２７２０号公報
【発明の概要】
【発明が解決しようとする課題】
【０００８】
しかしながら、前記特許文献１に開示された流動層ガス化装置のように、フリーボード部にサイクロン型粒子分離部を設けると共に、該サイクロン型粒子分離部より上方に位置するようタール分解改質触媒層を設けるのでは、サイクロン型粒子分離部でガス化ガスの熱が奪われることが避けられない。このため、タール分解改質触媒層でのガス化ガスの温度がフリーボード部での温度より低下し、該タール分解改質触媒層においてタール分を効率良く改質することが困難になる虞があった。
【０００９】
又、前記サイクロン型粒子分離部をガス化炉本体内部に設けることは、構造が複雑になって製造に手間が掛かり、コストアップにつながる虞をも有していた。
【００１０】
本発明は、上記従来の問題点に鑑みてなしたもので、ガス化ガスの温度低下を抑制してタール分を効率良く改質することができると共に、簡単な構造で製造を容易化しコスト削減を図り得る流動層ガス化装置を提供しようとするものである。
【課題を解決するための手段】
【００１１】
本発明は、ガス化炉本体内下部に形成される流動層に燃料を投入してガス化ガスを発生させ、該ガス化ガスを前記流動層上方に形成されるフリーボード部を経て前記ガス化炉本体上部から抜き出す流動層ガス化装置において、
前記フリーボード部に配設されるタール分解改質触媒層と、
該タール分解改質触媒層に付着する粒子状付着物及び析出カーボンを除去する除去手段と
を備えたことを特徴とする流動層ガス化装置にかかるものである。
【００１２】
前記流動層ガス化装置においては、前記除去手段を、前記タール分解改質触媒層の粒子状付着物に対し噴射流体として蒸気をノズルから吹き付け、且つ前記タール分解改質触媒層の析出カーボンに対し噴射流体として空気又は酸素をノズルから吹き付けるスートブロワとすることが好ましい。
【００１３】
又、前記流動層ガス化装置においては、前記タール分解改質触媒層を、上下複数段に間隔をあけて配設される分割触媒層によって構成し、且つ最下段の分割触媒層の厚さを上段の分割触媒層の厚さに比べて薄くし、
前記スートブロワを上下の分割触媒層間に配設することが好ましい。
【００１４】
更に又、前記流動層ガス化装置においては、前記ガス化炉本体に、前記タール分解改質触媒層のガス化ガス流通方向上下流側における差圧を検出する差圧検出器を設け、
該差圧検出器で検出される差圧が設定値以上となった場合に前記スートブロワのノズルからタール分解改質触媒層に対し噴射流体を吹き付けるよう構成することが好ましい。
【発明の効果】
【００１５】
本発明の流動層ガス化装置によれば、ガス化ガスの温度低下を抑制してタール分を効率良く改質することができると共に、簡単な構造で製造を容易化しコスト削減を図り得るという優れた効果を奏し得る。
【図面の簡単な説明】
【００１６】
【図１】本発明の流動層ガス化装置の実施例を示す側断面図である。
【図２】本発明の流動層ガス化装置の実施例を示す平断面図である。
【発明を実施するための形態】
【００１７】
以下、本発明の実施の形態を添付図面を参照して説明する。
【００１８】
図１及び図２は本発明の流動層ガス化装置の実施例であって、１はガス化炉本体、２はガス化炉本体１の底部に形成され且つ蒸気等の流動ガスが導入される流動ガス導入部、３は流動ガス導入部２に導入された流動ガスを上方へ吹き出す分散板、４は分散板３の上面側に形成され且つ燃料が投入される流動層、５は流動層４上方に形成されるフリーボード部である。該フリーボード部５には、タール分解改質触媒層６を設けると共に、該タール分解改質触媒層６に付着する粒子状付着物（例えば、灰粒子等）及び析出カーボンを除去する除去手段７を設けてある。
【００１９】
本実施例の場合、前記除去手段７は、前記タール分解改質触媒層６の粒子状付着物に対し噴射流体として蒸気をノズル７ｂから吹き付け、且つ前記タール分解改質触媒層６の析出カーボンに対し噴射流体として空気又は酸素をノズル７ｂから吹き付けるスートブロワ７ａとしてある。
【００２０】
前記タール分解改質触媒層６は、上下複数段（図１の例では二段）に間隔をあけて配設される金属担持ハニカム触媒（例えば、ニッケル等の金属を担持させたハニカム触媒）等の分割触媒層６ａ，６ｂによって構成し、且つ下段の分割触媒層６ｂの厚さＤｂを上段の分割触媒層６ａの厚さＤａに比べて薄くし、前記スートブロワ７ａを上下の分割触媒層６ａ，６ｂ間に配設してある。
【００２１】
前記ガス化炉本体１には、前記タール分解改質触媒層６のガス化ガス流通方向上下流側における差圧を検出する差圧検出器８を設けてある。該差圧検出器８で検出される差圧が設定値以上となった場合に制御器９からスートブロワ７ａの噴射流体供給弁１０へ制御信号を出力して該噴射流体供給弁１０を開くことにより、前記スートブロワ７ａのノズル７ｂからタール分解改質触媒層６に対し噴射流体を吹き付けるよう構成してある。
【００２２】
尚、前記スートブロワ７ａは、図示していない駆動機構により、その軸線方向へ伸縮自在且つ軸線を中心として回転自在に配置してある。そして、前記スートブロワ７ａは、タール分解改質触媒層６に対し噴射流体を吹き付ける必要のないときは、収縮してガス化炉本体１外部へ退避し、タール分解改質触媒層６に対し噴射流体を吹き付けるときは、伸長してガス化炉本体１内部へ進入し、ノズル７ｂを下向きにして下段の分割触媒層６ｂへ噴射流体を吹き付けるようにしてある。一方、前記スートブロワ７ａは、ノズル７ｂを上向きにして上段の分割触媒層６ａへ噴射流体を吹き付けるようにしてある。
【００２３】
又、前記スートブロワ７ａは、図２に示す如く、ガス化炉本体１に対して複数本挿入配置し、タール分解改質触媒層６の全面にムラなく噴射流体を吹き付けるようにしてある。
【００２４】
更に又、前記噴射流体としての蒸気と空気又は酸素との切り換えは、前記噴射流体供給弁１０より上流側に分岐接続される蒸気供給配管と空気又は酸素供給配管途中にそれぞれ設けられた切換弁（図示せず）の操作により行われるようにしてある。
【００２５】
次に、上記実施例の作用を説明する。
【００２６】
運転時には、水蒸気等の流動ガスがガス化炉本体１の底部に形成された流動ガス導入部２へ導入され、該流動ガス導入部２に導入された流動ガスが分散板３から上方へ吹き出されて流動層４が形成され、該流動層４に石炭やバイオマス等の燃料を投入することによりガス化ガスが発生する。
【００２７】
前記ガス化ガスは、フリーボード部５を上昇していく際、該フリーボード部５に配設されたタール分解改質触媒層６でタール分が改質されて一酸化炭素（ＣＯ）、水素（Ｈ2）その他炭化水素ガス等に転換され、タール分が除去されたガス化ガスがガス化炉本体１上部から抜き出される。
【００２８】
前記タール分解改質触媒層６には、粒子状付着物及びタール改質の反応が不十分であれば析出カーボンが付着するが、前記タール分解改質触媒層６のガス化ガス流通方向上下流側における差圧が差圧検出器８で検出される。そして、該差圧検出器８で検出される差圧が設定値以上となった場合には、スートブロワ７ａが伸長してガス化炉本体１内部へ進入し、制御器９からスートブロワ７ａの噴射流体供給弁１０へ制御信号が出力されて該噴射流体供給弁１０が開かれることにより、スートブロワ７ａのノズル７ｂからタール分解改質触媒層６に対し噴射流体が吹き付けられる。
【００２９】
尚、前記差圧検出器８でタール分解改質触媒層６のガス化ガス流通方向上下流側における差圧を検出する代わりに、以下のようにしても良い。即ち、例えば、試験運転時に、前記タール分解改質触媒層６に対し粒子状付着物及び析出カーボンがどの程度付着して目詰まりが生じるかを予め把握しておき、得られたデータに基づく一定期間毎にスートブロワ７ａのノズル７ｂからタール分解改質触媒層６に対し噴射流体を吹き付けるようにしても良い。
【００３０】
ここで、前記粒子状付着物は主に、タール分解改質触媒層６の下面側における表面にしか付着しない。このため、タール分解改質触媒層６を、上下複数段（図１の例では二段）に間隔をあけて配設される金属担持ハニカム触媒等の分割触媒層６ａ，６ｂによって構成し、且つ下段の分割触媒層６ｂの厚さＤｂを上段の分割触媒層６ａの厚さＤａに比べて薄くする構成としておくことが有効となる。この理由は、前述のように構成しておくと、下段の分割触媒層６ｂが粒子状付着物を捕集するフィルタ的な役割を果たすと共に、前記スートブロワ７ａのノズル７ｂを下向きにして下段の分割触媒層６ｂへ噴射流体として蒸気を吹き付ければ、前記下段の分割触媒層６ｂに捕集された粒子状付着物を逆洗する形で容易に下に落とすことが可能となるからである。又、前記スートブロワ７ａのノズル７ｂを下向きにして下段の分割触媒層６ｂへ噴射流体として空気又は酸素をノズルから吹き付ければ、前記下段の分割触媒層６ｂに付着した析出カーボンを燃焼させ、該下段の分割触媒層６ｂを再生させることが可能となる。
【００３１】
一方、前記スートブロワ７ａのノズル７ｂを上向きにして上段の分割触媒層６ａへ噴射流体として空気又は酸素をノズルから吹き付ければ、前記上段の分割触媒層６ａに付着した析出カーボンを燃焼させ、該上段の分割触媒層６ａを再生させることが可能となる。
【００３２】
尚、前記タール分解改質触媒層６の上下の分割触媒層６ａ，６ｂの再生完了後、前記スートブロワ７ａは収縮してガス化炉本体１の外部へ退避し、ガス化炉本体１での運転が継続される。
【００３３】
この結果、本実施例においては、特許文献１に開示された流動層ガス化装置とは異なり、フリーボード部５にタール分解改質触媒層６を設けるだけで、サイクロン型粒子分離部を設けなくて済む。このため、サイクロン型粒子分離部でガス化ガスの熱が奪われることが避けられ、タール分解改質触媒層６でのガス化ガスの温度がフリーボード部５での温度と変わらなくなり、該タール分解改質触媒層６においてタール分を効率良く改質することが可能となる。
【００３４】
又、前記サイクロン型粒子分離部をガス化炉本体１内部に設けなくて済むことから、ガス化炉本体１の構造が簡単で製造に手間が掛からず、コストアップも避けられる。
【００３５】
こうして、ガス化ガスの温度低下を抑制してタール分を効率良く改質することができると共に、簡単な構造で製造を容易化しコスト削減を図り得る。
【００３６】
尚、本発明の流動層ガス化装置は、上述の実施例にのみ限定されるものではなく、本発明の要旨を逸脱しない範囲内において種々変更を加え得ることは勿論である。
【符号の説明】
【００３７】
１    ガス化炉本体
４    流動層
５    フリーボード部
６    タール分解改質触媒層
６ａ  分割触媒層
６ｂ  分割触媒層
７    除去手段
７ａ  スートブロワ
７ｂ  ノズル
８    差圧検出器
９    制御器
Ｄａ    厚さ
Ｄｂ    厚さ
【図１】
2014118524.tif 000003
【図２】
2014118524.tif 000004